(57)【要約】【課題】  収容された現像剤（廃トナー）が現像剤収容箱の外部に漏れ出てしまうことを確実に防止する。【解決手段】  箱本体３２を第１側壁部３２Ｂ及び第２側壁部３２Ｃからなる二重壁部３２Ｄとするとともに、第１側壁部３２Ｂと第２側壁部３２Ｃとの間に空隙部３２Ｅを設ける。これにより、収容空間３１に収容されている現像剤の一部が、第１側壁部３２Ｂと閉塞部材３３との合わせ面（隙間３２Ｆ）から外方側に漏れ出ても、その漏れ出た現像剤は、第２側壁部３２Ｃに堰き止められ、第１側壁部３２Ｂと第２側壁部３２Ｃとの間に設けられた空隙部３２Ｅに溜まる。したがって、収容された現像剤が現像剤収容箱３０の外部に漏れ出てしまうことを確実に防止できる。【選択図】図８
2010026154.tif 000002
【特許請求の範囲】
【請求項１】
現像剤像を記録シートに転写することにより、記録シートに画像を形成する電子写真方式の画像形成装置に用いられ、クリーニング部材によって回収された現像剤が収容される現像剤収容箱であって、
現像剤を収容する収容空間を構成する箱本体と、
前記箱本体の開口部を閉塞する閉塞部材とを備え、
前記箱本体は、前記閉塞部材と対向する位置にて拡がる底壁部、並びに前記底壁部から前記閉塞部材側に突出する第１側壁部及び第２側壁部からなる二重壁部を有して構成されており、
さらに、前記第１側壁部と前記第２側壁部との間には、空隙部が設けられていることを特徴とする現像剤収容箱。
【請求項２】
前記収容空間内の現像剤を加圧可能に搬送する圧送手段を備え、
さらに、前記二重壁部は、前記箱本体のうち少なくとも加圧された現像剤が貯留する部位に設けられていることを特徴とする現像剤収容箱。
【請求項３】
前記第１側壁部は、前記第２側壁部より内方側に設けられており、
さらに、前記第１側壁部と前記閉塞部材との隙間は迷路構造化されていることを特徴とする請求項１又は２に記載の現像剤収容箱。
【請求項４】
前記第２側壁部と前記閉塞部材との隙間は迷路構造化されていることを特徴とする請求項３に記載の現像剤収容箱。
【請求項５】
前記空隙部には、前記箱本体と前記閉塞部材とを締結する結合手段が装着される突起状のボス部が設けられており、
さらに、前記ボス部の先端が前記閉塞部材と接触することにより、前記閉塞部材が位置決めされていることを特徴とする現像剤収容箱。
【請求項６】
現像剤像を記録シートに転写することにより、記録シートに画像を形成する画像形成手段と、
記録シート又は記録シートに転写される現像剤像を担持するベルトと、
前記ベルトに付着した現像剤を回収する回収手段と、
前記回収手段により回収された現像剤を収容する請求項１ないし５のいずれか１つに記載の現像剤収容箱と
を備えることを特徴とする画像形成装置。
【発明の詳細な説明】
【技術分野】
【０００１】
本発明は、クリーニング装置によって回収された現像剤が収容される現像剤収容箱等に関するものである。
【背景技術】
【０００２】
従来、例えば、現像剤等の微細な粉体が飛散しないようにシールするためのシール機構としては、特許文献１に示すようなシール機構がある。このようなシール機構を現像剤収容箱（トナー収容部）に適用した場合には、現像剤を収容する収容空間を構成する箱本体（ハウジング）、この箱本体の開口部を閉塞する閉塞部材（カバー）、及び箱本体と閉塞部材との合わせ面に発生する微少な隙間を閉塞するパッキン等のシール部材等から構成される。
【特許文献１】特開２００３−２７８９１６号公報
【発明の開示】
【発明が解決しようとする課題】
【０００３】
ところで、特許文献１に記載の発明は、シール機構を現像剤収容箱に適用した場合、箱本体と閉塞部材との合わせ面に配設されたシール部材を、箱本体と閉塞部材とにより圧縮しながら挟み込むことにより、現像剤収容箱内に収容された現像剤が外部に漏れ出ることを防止するものである。
【０００４】
したがって、シール部材が経年変化し、自身の弾性が消失して塑性変形してしまうと、十分なシール効果を得ることができなくなり、現像剤収容箱内に収容された現像剤が外部に漏れ出てしまうおそれがある。
【０００５】
本発明は、上記点に鑑み、収容された現像剤が現像剤収容箱の外部に漏れ出てしまうことを確実に防止することを目的とする。
【課題を解決するための手段】
【０００６】
本発明は、上記目的を達成するために、請求項１に記載の発明では、現像剤像を記録シートに転写することにより、記録シートに画像を形成する電子写真方式の画像形成装置に用いられ、クリーニング部材によって回収された現像剤が収容される現像剤収容箱であって、現像剤を収容する収容空間を構成する箱本体と、箱本体の開口部を閉塞する閉塞部材とを備え、箱本体は、閉塞部材と対向する位置にて拡がる底壁部、並びに底壁部から閉塞部材側に突出する第１側壁部及び第２側壁部からなる二重壁部を有して構成されており、さらに、第１側壁部と第２側壁部との間には、空隙部が設けられていることを特徴とする。
【０００７】
これにより、請求項１に記載の発明では、収容空間に収容されている現像剤の一部が、内方側に設けられた側壁部（例えば、第１側壁部）と閉塞部材との合わせ面から外方側に漏れ出ても、その漏れ出た現像剤は、外方側に設けられた側壁部（例えば、第２側壁部）に堰き止められ、第１側壁部と第２側壁部との間に設けられた空隙部に溜まるので、収容された現像剤が現像剤収容箱の外部に漏れ出てしまうことを確実に防止できる。
【０００８】
つまり、請求項１に記載の発明では、内方側に設けられた側壁部（例えば、第１側壁部）と閉塞部材との合わせ面におけるシール効果が低下し、現像剤が外方側に漏れ出ても、その漏れ出た現像剤は、外方側に設けられた側壁部（例えば、第２側壁部）に堰き止められ、第１側壁部と第２側壁部との間に設けられた空隙部に溜まるので、収容された現像剤が現像剤収容箱の外部に漏れ出てしまうことを確実に防止できる。
【０００９】
なお、請求項１に記載の発明では、第１側壁部及び第２側壁部と閉塞部材との合わせ面におけるシール構造は不問であり、どのような構成としてもよい。
また、請求項２に記載の発明では、収容空間内の現像剤を加圧可能に搬送する圧送手段を備え、さらに、二重壁部は、箱本体のうち少なくとも加圧された現像剤が貯留する部位に設けられていることを特徴とする。
【００１０】
これにより、請求項２に記載の発明では、現像剤の漏れが発生し易い部位、つまり加圧された現像剤が貯留する部位が二重壁部となっているので、収容された現像剤が現像剤収容箱の外部に漏れ出てしまうことを確実に防止できる。
【００１１】
なお、請求項３に記載の発明では、第１側壁部は、第２側壁部より内方側に設けられており、さらに、第１側壁部と閉塞部材との隙間は迷路構造化されていることを特徴とするものである。
【００１２】
また、請求項４に記載の発明では、第２側壁部と閉塞部材との隙間は迷路構造化されていることを特徴とする。
これにより、請求項４に記載の発明では、第１側壁部及び第２側壁部と閉塞部材との合わせ面が共に迷路構造化されているので、収容された現像剤が現像剤収容箱の外部に漏れ出てしまうことを確実に防止できる。
【００１３】
なお、請求項５に記載の発明では、空隙部には、箱本体と閉塞部材とを締結する結合手段が装着される突起状のボス部が設けられており、さらに、ボス部の先端が閉塞部材と接触することにより、閉塞部材が位置決めされていることを特徴とするものである。
【００１４】
また、請求項６に記載の発明では、現像剤像を記録シートに転写することにより、記録シートに画像を形成する画像形成手段と、記録シート又は記録シートに転写される現像剤像を担持するベルトと、ベルトに付着した現像剤を回収する回収手段と、回収手段により回収された現像剤を収容する請求項１ないし５のいずれか１つに記載の現像剤収容箱とを備えることを特徴とする。
【発明を実施するための最良の形態】
【００１５】
本実施形態はダイレクトタンデム方式のカラーレーザプリンタ（以下、画像形成装置という。）用のベルトクリーナに本発明に係る現像剤収容箱を適用したものであり、以下に本実施形態を図面と共に説明する。
【００１６】
１．図面の説明
図１は本実施形態に係る画像形成装置１の概略構成を示す中央断面図であり、図２は現像剤収容箱３０を備えたベルトクリーナ２０の構成を示す断面図であり、図３は現像剤収容箱３０の外観斜視図であり、図４は現像剤収容箱３０の分解斜視図であり、図５は現像剤収容箱３０の構造を示す図であり、図６は図５のＡ部拡大図であり、図７は現像剤収容箱３０の構造を示す図であり、図８は図７のＡ部拡大図である。
【００１７】
２．画像形成装置の構成
２．１．画像形成装置の概略構造
画像形成装置１の筐体３内には、図１に示すように、記録用紙やＯＨＰシート等の記録シート（以下、用紙という。）に現像剤像を転写することにより、用紙に画像を形成する電子写真方式の画像形成部５が収納されており、この画像形成部５は、周知のごとく、プロセスカートリッジ７、露光器９及び定着器１１等から構成されている。
【００１８】
なお、本実施形態に係る画像形成装置１は、ダイレクトタンデム方式のカラーレーザプリンタであるため、用紙の搬送方向に沿って直列に複数個（本実施形態では、４個）のプロセスカートリッジ７が配設されている。
【００１９】
具体的には、用紙の搬送方向上流側から順に、ブラック用のプロセスカートリッジ７Ｋ、イエロー用のプロセスカートリッジ７Ｙ、マゼンタ用のプロセスカートリッジ７Ｍ、シアン用のプロセスカートリッジ７Ｃである。
【００２０】
また、各プロセスカートリッジ７Ｋ〜７Ｃは、収納されている現像剤の色が異なるのみで、その構造等はほぼ同じであり、具体的には、各プロセスカートリッジ７Ｋ〜７Ｃは、現像剤像が担持される感光ドラム７Ａ、及び感光ドラム７Ａを帯電させる帯電器７Ｂ等から構成されている。なお、図１においては、紙面の都合上、シアン用のプロセスカートリッジ７Ｃのみに感光ドラム７Ａ及び帯電器７Ｂの符号を付した。
【００２１】
以上に説明した構成において、帯電した感光ドラム７Ａを露光器９にて露光して感光ドラム７Ａの外周面に静電潜像を形成した後、電荷を帯びた現像剤を感光ドラム７Ａに供給すると、感光ドラム７Ａの外周面に現像剤像が担持（形成）される。
【００２２】
また、用紙を搬送する転写ベルト１３を挟んで感光ドラム７Ａと対向する位置には、感光ドラム７Ａに担持された現像剤を用紙に転写させる転写ローラ１５が設けられており、この転写ローラ１５には、感光ドラム７Ａに担持された現像剤像を用紙に転写させるための電圧が印加されている。
【００２３】
このため、感光ドラム７Ａに担持されていた現像剤像は、転写ベルト１３により搬送される用紙に転写される。そして、現像剤像が転写された用紙は、定着器１１に搬送されて加熱され、用紙に転写された現像剤像が用紙に溶着（定着）する。
【００２４】
２．２．ベルトクリーナの構成
ベルトクリーナ２０は、転写ベルト１３を挟んでプロセスカートリッジ７と反対側に配設され、被クリーニング体である転写ベルト１３の表面に付着した現像剤や紙粉等の付着物を除去する装置である。
【００２５】
すなわち、本実施形態では、ダイレクトタンデム方式を採用した画像形成装置１において、用紙の搬送を行わない適当なタイミングで現像剤（トナー）濃度調整用のパッチ又は色ずれ検知用のレジマークを転写ベルト１３上に印刷（転写）し、その後にパッチ又はレジマークを廃現像剤（廃トナー）としてベルトクリーナ２０にて除去（回収）するようにしたものである。
【００２６】
そして、このベルトクリーナ２０は、図２に示すように、クリーニングローラ２１、クリーニングシャフト２２、剥離ブレード２３、飛散防止ブレード２４、アジテータ２５、バックアップローラ２６（図１参照）、オーガ２７、及び現像剤収容箱３０等から構成されている。
【００２７】
クリーニングローラ２１は、転写ベルト１３と対向配置されて転写ベルト１３の表面に付着した付着物（主に、現像剤）を転写ベルト１３から回収するクリーニング部材であり、クリーニングシャフト２２はクリーニングローラ２１の表面に付着した現像剤を回収して収容空間３１に搬送するクリーニング部材である。
【００２８】
バックアップローラ２６は、転写ベルト１３を挟んでクリーニングローラ２１と反対側に配設され、転写ベルト１３をクリーニングローラ２１に押し付けるためのバックアップ部材である。
【００２９】
また、クリーニングローラ２１及びクリーニングシャフト２２には、現像剤が帯びている電荷と反対の極性を有する電位（本実施形態では、負電位）が印加されている。すなわち、クリーニングローラ２１と現像剤との間に発生する静電吸引力により転写ベルト１３の表面に付着した現像剤がクリーニングローラ２１に静電吸着されて転写ベルト１３がクリーニングされる。
【００３０】
なお、クリーニングローラ２１は、転写ベルト１３の走行方向と逆方向に回転駆動されるため、転写ベルト１３に付着している現像剤は、機械的（物理的）に掻き取られつつ、静電的に回収される。
【００３１】
このとき、クリーニングシャフト２２へ印加される電位の絶対値がクリーニングローラ２１より大きくなるように制御されているので、クリーニングローラ２１に静電吸着されている現像剤は、静電吸引力によりクリーニングシャフト２２に転写されるようにしてクリーニングローラ２１から回収される。
【００３２】
そして、クリーニングシャフト２２の表面に回収された現像剤は、薄板状の剥離ブレード２３によって掻き落とされ、この掻き落とされた現像剤は、飛散防止ブレード２４によりクリーニングローラ２１側に飛散してしまうことを防止されるとともに、アジテータ２５により現像剤収容箱３０に構成された収容空間３１に移送される。
【００３３】
アジテータ２５は、収容空間３１のうち後述する底壁部３２Ａと後述する閉塞部材３３との間に配設されており、このアジテータ２５の移動方向前進側端部（図２の左端）と後述する第１側壁部３２Ｂとの間には隙間３１Ａが設けられている。
【００３４】
また、アジテータ２５は、現像剤の移送方向（本実施形態では、用紙の搬送方向と平行な方向）に往復運動しながら、その移送方向と直交する方向（本実施形態では、上下方向）に揺動することにより、剥離ブレード２３によって掻き落とされた現像剤を移送方向に移動させるものであり、このアジテータ２５はクランクシャフト２５Ａによって稼働させられる。
【００３５】
なお、アジテータ２５は、現像剤の移動方向と略直交する面を有し、かつ、移動方向及びアジテータ２５の揺動方向と略直交する方向（本実施形態では、紙面と直交する方向）に延びて帯状に形成された複数の搬送部２５Ｂ、及び移動方向に延びて複数の搬送部２５Ｂを保持する複数のフレーム２５Ｃを備えた格子状のものである。
【００３６】
また、現像剤収容箱３０は、図３及び図４に示すように、収容空間３１を構成する箱本体３２、及び箱本体３２の上部側開口部を閉塞する閉塞部材３３等からなるもので、この閉塞部材３３は、図５及び図６に示すように、ネジ３４等の機械的な締結（結合）手段により箱本体３２に固定されている。
【００３７】
また、箱本体３２は、図７に示すように、閉塞部材３３と対向する位置にて拡がる底壁部３２Ａ、並びにクランクシャフト２５Ａより隙間３１Ａ側において、底壁部３２Ａから閉塞部材３３側に突出する第１側壁部３２Ｂ及び第２側壁部３２Ｃからなる二重壁部３２Ｄを有して構成されている。
【００３８】
そして、第１側壁部３２Ｂと第２側壁部３２Ｃとの間には、漏れ防止用の空隙部３２Ｅが設けられているとともに、図８に示すように、第１側壁部３２Ｂと閉塞部材３３との隙間３２Ｆ、及び第２側壁部３２Ｃと閉塞部材３３との隙間３２Ｇは、迷路構造化されている。
【００３９】
ここで、隙間３２Ｆを迷路構造化するとは、収容空間３１側から空隙部３２Ｅ側に至る隙間３２Ｆの経路を蛇行させるようにして、隙間３２Ｆの経路長さを第１側壁部３２Ｂの厚み寸法ｔ１より大きくすることにより、収容空間３１側から空隙部３２Ｅ側に至る経路で発生する圧力損失を大きくすることで、収容空間３１側から空隙部３２Ｅ側に現像剤が漏れ出難くなるように構成された一種のメカニカルシールである。
【００４０】
また、隙間３２Ｇを迷路構造化するとは、隙間３２Ｆと同様に、空隙部３２Ｅから現像剤収容箱３０外側に至る隙間３２Ｇの経路を蛇行させるようにして、空隙部３２Ｅ側から現像剤収容箱３０外に現像剤が漏れ出難くなるように構成された一種のメカニカルシールである。
【００４１】
なお、空隙部３２Ｅには、図６に示すように、ネジ３４が挿入される雌ねじ部が形成された突起状のボス部３２Ｈが設けられており、このボス部３２Ｈの先端が閉塞部材３３と接触することにより、箱本体３２に対して閉塞部材３３が位置決めされている。
【００４２】
２．３．アジテータの作動（図２参照）
クランクシャフト２５Ａが回転してアジテータ２５が稼働すると、アジテータ２５が現像剤の移送方向に往復運動するので、アジテータ２５が隙間３１Ａ側に移動するときに、収容空間３１に落下してきた現像剤は、搬送部２５Ｂにて隙間３１Ａ側に押圧され、順次、その落下ポイントから隙間３１Ａ側（二重壁部３２Ｄ）に移送される。
【００４３】
すなわち、落下ポイントにて山状に積み上がった現像剤は、アジテータ２５の搬送部２５Ｂによって山の頂部の部分が掻き取られながら、他の搬送部２５Ｂによって順次、隙間３１Ａ側（二重壁部３２Ｄ）へ移送される。したがって、積み上がった現像剤の山がアジテータ２５を超えるまでは現像剤の山が隙間３１Ａ側に拡大していく。
【００４４】
そして、収容空間３１のうち隙間３１Ａ側（二重壁部３２Ｄ）から順次、現像剤の山が盛り上がっていくと、アジテータ２５の運動に伴って移送される現像剤は、格子状に形成されたアジテータ２５を乗り越えて収容空間３１の上部まで溜まりながら、盛り上がった現像剤の山のすその部分が次第に落下ポイント側に近づいていく。
【００４５】
そして、収容空間３１に貯留している現像剤の山のすその部分が落下ポイント（飛散防止ブレード２４の先端を通る鉛直ライン）を超えてオーガ２７まで到達し、さらにオーガ２７の羽根に接触する高さ以上になると、オーガ２７により現像剤が廃現像剤検出部（図示せず。）に移送され、収容空間３１に貯留された現像剤の量が所定量を超えたことが検出される。
【００４６】
以上の説明から明らかなように、アジテータ２５は上側で動いているときと、下側で動いているときとで、現像剤を反対方向に移送している。したがって、収容空間３１に貯留された現像剤が漏れてしまう程度まで溜まらないうちに廃現像剤検出部まで確実に送ることができる。
【００４７】
しかも、アジテータ２５のクランクシャフト２５Ａに近い側は、下側で動いているときは現像剤を隙間３１Ａ側に送り、上側で動いているときは隙間３１Ａ側からクランクシャフト２５Ａ側に送るが、隙間３１Ａ側は、上下には殆ど動かない。したがって、隙間３１Ａ側では、現像剤はいずれの方向にも殆ど移動しないので、現像剤の漏れが発生し難い。
【００４８】
なお、収容空間３１に貯留された現像剤の量が所定量を超えたことが検出されると、その旨及び現像剤収容箱３０を交換すべき旨が利用者に対して報知される。
３．本実施形態に係る現像剤収容箱の特徴
本実施形態に係る箱本体３２は、第１側壁部３２Ｂ及び第２側壁部３２Ｃからなる二重壁部３２Ｄを有して構成されているとともに、第１側壁部３２Ｂと第２側壁部３２Ｃとの間には、空隙部３２Ｅが設けられているので、収容空間３１に収容されている現像剤の一部が、第１側壁部３２Ｂと閉塞部材３３との合わせ面（隙間３２Ｆ）から外方側に漏れ出ても、その漏れ出た現像剤は、第２側壁部３２Ｃに堰き止められ、第１側壁部３２Ｂと第２側壁部３２Ｃとの間に設けられた空隙部３２Ｅに溜まる。したがって、収容された現像剤が現像剤収容箱３０の外部に漏れ出てしまうことを確実に防止できる。
【００４９】
つまり、本実施形態では、第１側壁部３２Ｂと閉塞部材３３との合わせ面におけるシール効果が低下し、現像剤が外方側に漏れ出ても、その漏れ出た現像剤は、第２側壁部３２Ｃに堰き止められ、第１側壁部３２Ｂと第２側壁部３２Ｃとの間に設けられた空隙部３２Ｅに溜まるので、収容された現像剤が現像剤収容箱３０の外部に漏れ出てしまうことを確実に防止できる。
【００５０】
また、本実施形態では、現像剤の漏れが発生し易い部位、つまりアジテータ２５の下側における現像剤の搬送方向前進側（二重壁部３２Ｄ側）において、山状に積み上がって加圧された現像剤が貯留する部位が二重壁部３２Ｄとなっているので、収容された現像剤が現像剤収容箱の外部に漏れ出てしまうことを確実に防止できる。
【００５１】
また、第１側壁部３２Ｂと閉塞部材３３との隙間３２Ｆ、及び第２側壁部３２Ｃと閉塞部材３３との隙間３２Ｇが共に迷路構造化されているので、収容された現像剤が現像剤収容箱の外部に漏れ出てしまうことを確実に防止できる。
【００５２】
４．発明特定事項と実施形態との対応関係
本実施形態では、アジテータ２５及びクランクシャフト２５Ａ等により、特許請求の範囲に記載された圧送手段が構成されている。
【００５３】
（その他の実施形態）
上述の実施形態では、第１側壁部３２Ｂと閉塞部材３３との隙間３２Ｆ、及び第２側壁部３２Ｃと閉塞部材３３との隙間３２Ｇは共に迷路構造によるシール構造が採用されていたが、本発明はこれに限定されるものではなく、例えばパッキンを介在させる等のシール構造としてもよい。
【００５４】
また、収容空間３１内の現像剤を加圧可能に搬送する圧送手段は、アジテータ２５及びクランクシャフト２５Ａ等からなるものに限定されるものではない。
また、本発明の適用対象は、ダイレクトタンデム方式のカラーレーザプリンタに限定されるものではない。
【００５５】
すなわち、本実施形態では、ダイレクトタンデム方式を採用した画像形成装置１において、用紙の搬送を行わない適当なタイミングで現像剤（トナー）濃度調整用のパッチ又は色ずれ検知用のレジマークを転写ベルト１３上に印刷（転写）し、その後にパッチ又はレジマークを廃現像剤（廃トナー）としてベルトクリーナ２０にて除去し、回収した現像剤を現像剤収容箱３０に貯留するようにしたものであったが、本発明はこれに限定されるものではなく、例えば現像剤像が担持される中間転写方式の転写ベルトを対象として、濃度パッチ又は色ずれ検知用のレジマークの他に、いわゆる転写残現像剤を回収するようにしたものであってもよい。さらに、感光体ベルト等の転写残現像剤を回収するベルトクリーナ等の現像剤収容箱にも適用可能である。
【００５６】
また、本発明は、特許請求の範囲に記載された発明の趣旨に合致するものであればよく、上述の実施形態に限定されるものではない。
【図面の簡単な説明】
【００５７】
【図１】本実施形態に係る画像形成装置１の概略構成を示す中央断面図である。
【図２】現像剤収容箱３０を備えたベルトクリーナ２０の構成を示す図である。
【図３】現像剤収容箱３０の外観斜視図である。
【図４】現像剤収容箱３０の分解斜視図である。
【図５】現像剤収容箱３０の構造を示す図である。
【図６】図５のＡ部拡大図である。
【図７】現像剤収容箱３０の構造を示す図である。
【図８】図７のＡ部拡大図である。
【符号の説明】
【００５８】
１…画像形成装置、５…画像形成部、７…プロセスカートリッジ、
７Ａ…感光ドラム、７Ｃ…プロセスカートリッジ、７Ｋ…プロセスカートリッジ、
７Ｍ…プロセスカートリッジ、７Ｙ…プロセスカートリッジ、９…露光器、
１１…定着器、１３…転写ベルト、１５…転写ローラ、２０…ベルトクリーナ、
２１…クリーニングローラ、２２…クリーニングシャフト、
２３…剥離ブレード、２４…飛散防止ブレード、２５…アジテータ、
２５Ａ…クランクシャフト、２５Ｂ…搬送部、２５Ｃ…フレーム、
２６…バックアップローラ、２７…オーガ、３０…現像剤収容箱、
３１…収容空間、３１Ａ…隙間、３２…箱本体、３２Ａ…底壁部、
３２Ｂ…第１側壁部、３２Ｃ…第２側壁部、３２Ｄ…二重壁部、
３２Ｅ…空隙部、３２Ｆ…隙間、３２Ｇ…隙間、３２Ｈ…ボス部、
３３…閉塞部材、３４…ネジ。
【図１】
2010026154.tif 000003
【図２】
2010026154.tif 000004
【図３】
2010026154.tif 000005
【図４】
2010026154.tif 000006
【図５】
2010026154.tif 000007
【図６】
2010026154.tif 000008
【図７】
2010026154.tif 000009
【図８】
2010026154.tif 000010